(57)【特許請求の範囲】
【請求項１】
制御部と、第１の画像データを保存する第１の記憶部と、前記第１の画像データを処理して第２の画像データを生成する第１の画像処理部と、前記第２の画像データを一時的に保存する第２の記憶部と、を有するコンピュータと、
前記コンピュータから出力された前記第２の画像データに対応する画像を出力する画像出力部と、前記第２の画像データを識別する識別情報と前記画像における印刷領域の座標情報を含む印刷条件を設定する第２の画像処理部と、を有し、前記コンピュータに接続された画像表示装置と、
を有し、
前記コンピュータの前記制御部は、前記画像表示装置から前記印刷条件を受信すると、前記印刷条件に含まれる前記識別情報に対応する、前記第２の記憶部に保存されている前記第２の画像データと前記第１の記憶部に保存されている第１の画像データのうち解像度の高い画像データと前記印刷条件から前記第１の画像処理部を介して印刷データを生成して、前記コンピュータに接続された印刷装置に送信して印刷させることを特徴とする印刷システム。
【請求項２】
前記印刷条件は、前記印刷装置が印刷する用紙のサイズを含むことを特徴とする請求項１に記載の印刷システム。
【請求項３】
前記画像表示装置の前記画像出力部は、前記印刷領域に含まれる画像を表示する印刷プレビュー機能を有することを特徴とする請求項１または２に記載の印刷システム。
【請求項４】
前記画像表示装置の前記第２の画像処理部は、投射される画像の倍率を変更する機能を有することを特徴とする請求項１乃至３のうちいずれか１項に記載の印刷システム。
【請求項５】
第１の画像データを保存する第１の記憶部と、前記第１の画像データを処理して第２の画像データを生成する第１の画像処理部と、前記第２の画像データを一時的に保存する第２の記憶部と、を有するコンピュータと、
前記コンピュータから出力された前記第２の画像データに対応する画像を出力する画像出力部と、前記第２の画像データを識別する識別情報と前記画像における印刷領域の座標情報を含む印刷条件を設定する第２の画像処理部と、を有し、前記コンピュータに接続された画像表示装置と、
を有する印刷システムにおいて、前記コンピュータを、
前記画像表示装置から前記印刷条件を受信する手段、
前記印刷条件を受信すると前記印刷条件に含まれる前記識別情報に対応する、前記第２の記憶部に保存されている前記第２の画像データと前記第１の記憶部に保存されている第１の画像データのうち解像度の高い画像データを選択する手段、
選択された画像データと前記印刷条件から前記第１の画像処理部を介して印刷データを生成する手段、
前記コンピュータに接続された印刷装置に前記印刷データを送信して印刷させる手段、として機能させることを特徴とするプログラム。
【発明の詳細な説明】
【技術分野】
【０００１】
本発明は、画像表示装置によって投射された画像を印刷する印刷システムおよびプログラムに関する。
【背景技術】
【０００２】
パーソナルコンピュータ（ＰＣ）から画像をプロジェクタで受信および投射してプレゼンテーションを行っている時に視聴者から投射された画像の印刷を要求される場合がある。この場合、従来、発表者はＰＣまで移動してＰＣを操作してＰＣに接続されているプリンタから画像を印刷する必要があった。
【０００３】
この場合、投射画像の一部の印刷が要求される場合には発表者はＰＣ上で印刷領域を設定しなければならないが、ＰＣのディスプレイ画面は投射面には投射されないので視聴者の希望に沿った印刷領域を設定する操作に手間取る場合がある。しかも、発表場所に設置してあるＰＣは発表者自身のものでない場合が多いので操作しにくい場合が多い。
【０００４】
そこで、特許文献１、２に開示されているようにプロジェクタをプリンタに直接接続してプロジェクタから印刷データをプリンタに送信して印刷することも考えられる。
【先行技術文献】
【特許文献】
【０００５】
【特許文献１】特開２００６−１２６４８０号公報
【特許文献２】特開２００４−３１２７０６号公報
【発明の概要】
【発明が解決しようとする課題】
【０００６】
しかしながら、ＰＣに格納されている画像の解像度が、プロジェクタが表示している投射画像の解像度よりも高い場合があり、特許文献１、２の構成では視聴者は解像度の良い画像を得られないおそれがある。また、プロジェクタが画像データをプリンタに送信するとプロジェクタが送信するデータ量が増え、また、プリンタが印刷可能な形式にデータを変換しなければならないなどプロジェクタの負荷が増加する。
【０００７】
本発明は、画像表示装置によって投射された画像を画像表示装置における操作で解像度良く画像表示装置にかかる負荷を抑えて印刷することが可能な印刷システムを提供することを例示的な目的とする。
【課題を解決するための手段】
【０００８】
本発明の印刷システムは、制御部と、第１の画像データを保存する第１の記憶部と、前記第１の画像データを処理して第２の画像データを生成する第１の画像処理部と、前記第２の画像データを一時的に保存する第２の記憶部と、を有するコンピュータと、前記コンピュータから出力された前記第２の画像データに対応する画像を出力する画像出力部と、前記第２の画像データを識別する識別情報と前記画像における印刷領域の座標情報を含む印刷条件を設定する第２の画像処理部と、を有し、前記コンピュータに接続された画像表示装置と、を有し、前記コンピュータの前記制御部は、前記画像表示装置から前記印刷条件を受信すると、前記印刷条件に含まれる前記識別情報に対応する、前記第２の記憶部に保存されている前記第２の画像データと前記第１の記憶部に保存されている第１の画像データのうち解像度の高い画像データと前記印刷条件から前記第１の画像処理部を介して印刷データを生成して、前記コンピュータに接続された印刷装置に送信して印刷させることを特徴とする。
【発明の効果】
【０００９】
本発明によれば、画像表示装置によって投射された画像を画像表示装置における操作で解像度良く画像表示装置にかかる負荷を抑えて印刷することが可能な印刷システムを提供することができる。
【図面の簡単な説明】
【００１０】
【図１】本実施形態の印刷システムのブロック図である。
【図２】図２（ａ）は図１に示すプロジェクタの動作を説明するためのフローチャートであり、図２（ｂ）はプロジェクタが表示する画面の例である。
【図３】図１に示すＰＣの動作を説明するためのフローチャートである。
【発明を実施するための形態】
【００１１】
図１は、画像表示装置によって投射された画像を印刷する印刷システムのブロック図である。以下、画像表示装置の一例としてプロジェクタ（画像投射装置）を例に説明するが、本発明はテレビなど他の画像表示装置にも適用可能である。
【００１２】
印刷システムはプロジェクタ（画像表示装置）１と、パーソナルコンピュータ（ＰＣ）２と、プリンタ（印刷装置）３と、を有する。ＰＣ２はプロジェクタ１とプリンタ３に接続されている。
【００１３】
プロジェクタ１は、操作部１１、制御部１２、画像出力部１３、画像入力部１４、画像処理部（第２の画像処理部）１５、印刷条件データ出力部１６を有する。
【００１４】
操作部１１は、投射された画像の印刷するための印刷条件の入力操作や印刷プレビューの命令を受け付ける操作を行う手段である。例えば、ボタン、ダイヤル、キーパッド、各種のポインティングデバイス等であるが、これらに限定されない。印刷条件とは、投射画像を識別する識別情報、印刷命令、印刷領域、印刷部数、倍率、解像度、カラー／白黒印刷の指定、印刷用紙のサイズや種類、両面印刷の有無を含むが、これらに限定されない。印刷条件は投射画像の画像データの情報は含まない。
【００１５】
制御部１２はプロジェクタ１の各モジュールを制御し、ＰＣ２と通信することができる。
【００１６】
画像出力部１３は、投射面に画像を投射する投射レンズ（投射部）や液晶ディスプレイなどである。画像出力部１３は、投射画像、そこに設定された印刷領域、その他の印刷条件、印刷プレビュー、プロジェクタ１の光学情報（アスペクト比、ズームなど）などを表示することができる。画像出力部１３は、投射画像の全体を表示せずに印刷領域に含まれる画像を表示する印刷プレビュー機能も有する。
【００１７】
画像入力部１４は、ＰＣ２などの外部機器から画像データ（第２の画像データ）が入力されるコネクタであり、ＵＳＢ端子、ビデオ入力端子などを含む。
【００１８】
画像処理部（第２の画像処理部）１５は、入力画像データを変換・処理する機能、投射される画像の倍率を変更（拡大・縮小）するデジタルズーム機能、印刷条件データ等の出力を行う機能などを有する。
【００１９】
印刷条件データ出力部１６は、画像処理部１５から出力された印刷条件のデータをＰＣ２などの外部機器に出力する。本実施例では、プロジェクタ１は印刷条件データ出力部１６からＰＣ２に印刷条件を出力するが、ＰＣ２が投射画像の画像データを既に保持しているためそれは送信しない。
【００２０】
ＰＣ２は、操作部２１、制御部２２、画像データ出力部２３、画像データ保存部（第１の記憶部）２４、画像処理部（第１の画像処理部）２５、印刷データ出力部２６、印刷条件データ入力部２７、ＲＡＭ（第２の記憶部）２８を有する。
【００２１】
操作部２１は、各種の入力操作を受け付けるキーボードやポインティングデバイスである。制御部２２は、各モジュールを制御すると共に、図３を参照して後述するように、解像度の比較と比較結果に基づいて印刷データに使用される画像データの選択を行う。
【００２２】
画像データ出力部２３は、不図示のディスプレイやプロジェクタ１に画像データを出力する。画像データ保存部２４は、元画像データとしての第１の画像データを保存する記憶手段（第１の記憶部）である。
【００２３】
画像処理部２５は、画像データ保存部２４に保存されている第１の画像データを処理して不図示のディスプレイやプロジェクタ１が表示可能な第２の画像データに変換・生成することができる。また、画像処理部２５は、プロジェクタ１から受信した印刷条件と制御部２２によって選択された画像データ保存部２４またはＲＡＭ２８に格納されている画像データから印刷データを生成することができる。印刷データは、印刷条件の情報と投射されている画像の全部または一部を表す画像データ（例えば、網点の大きさや密度など）を含む情報である。
【００２４】
印刷データ出力部２６は、画像処理部２５が生成した印刷データをプリンタ３に出力する。印刷条件データ入力部２７は、プロジェクタ１の印刷条件データ出力部１６から印刷条件の情報を受信する。ＲＡＭ２８は、画像データ出力部２３から出力される出力画像データとしての第２の画像データを一時的に保存する記憶手段（第２の記憶部）である。
【００２５】
以下、本印刷システムにおいて投射された画像の所望の印刷領域を印刷する場合の動作について説明する。
【００２６】
図２（ａ）はプロジェクタ１の動作を示すフローチャートであり、図２（ｂ）はプロジェクタ１に表示される画面の例である。図３はプロジェクタ１から印刷情報がＰＣ２に送信されてからのＰＣ２の動作を示すフローチャートである。図２及び図３において、「Ｓ」はステップ（工程）の略であり、これらのフローはプロセッサ（マイクロコンピュータ）を各ステップの手段として機能させるためのプログラムとして具現化可能である。
【００２７】
まず、図２（ａ）を参照して説明すると、プロジェクタ１は操作部１１によって電源がＯＮにされてＰＣ２の画像データ出力部２３から出力された画像データを画像入力部１４から受信し、制御部１２はそれを画像処理部１５に処理させる。そして、図２（ｂ）の画面（１）に示すように、画像出力部１３が受信した画像データに対応する画像を表示する（Ｓ１０１）。
【００２８】
次に、制御部１２は、操作部１１からの操作と画像処理部１５を介して投射画像に希望の印刷領域を設定する（Ｓ１０２）。図２（ｂ）の画面（２）では、一例として、丸と三角が矩形の点線領域Ｐで囲まれており、これが印刷領域として設定されている。
【００２９】
次に、制御部１２は、画像処理部１５を介して、投射画像における印刷領域の座標情報を取得する（Ｓ１０３）。例えば、図２（ｂ）の画面（２）において、制御部１２は、点線領域Ｐの四つの頂点の位置の座標を取得する。座標の取得方法は、これに限られず、矩形点線領域Ｐの対角の２点の座標のみを取得してもよい。
【００３０】
次に、制御部１２は、取得した印刷領域の座標情報に基づいて投射画像から印刷領域を切り取り、デジタルズーム機能によって印刷領域を拡大または縮小して印刷プレビューを作成し画像出力部１３で印刷プレビューの表示を行う（Ｓ１０４）。例えば、図２（ｂ）の画面（３）では、制御部１２は、点線領域内にある丸と三角を印刷プレビューとして拡大表示している。
【００３１】
次に、制御部１２は、表示されている印刷プレビューに表示された画像が希望する印刷領域であるかどうかの確認を促し（Ｓ１０５）、必要があれば、Ｓ１０２に戻ってユーザは印刷領域を再度選択することができる（Ｓ１０５のＮ）。
【００３２】
従来、プロジェクタが投射している画面を、ＰＣを操作して印刷する場合には視聴者はＰＣのディスプレイ上の印刷プレビューを確認することはできなかったため、印刷領域の選択を誤る可能性があった。これに対して、本実施形態によればプロジェクタの視聴者は印刷プレビュー画面を確認することができるため印刷ミスを防止することができる。
【００３３】
一方、表示されている印刷プレビューに表示された画像が希望する印刷領域であることが確認されると（Ｓ１０５のＹ）、制御部１２は、その他の印刷条件の設定を促す（Ｓ１０６）。例えば、図２（ｂ）の画面（４）において、制御部１２は、印刷用紙のサイズＡ４の選択を受け付ける。
【００３４】
次に、制御部１２は、印刷条件の情報を取得した表示画像の印刷領域の座標情報と、印刷条件を含む印刷データを印刷条件データ出力部１６からＰＣ２の印刷条件データ入力部２７に送信する（Ｓ１０７）。Ｓ１０７は、操作部１１においてユーザが「印刷」を命令するボタンを押したりクリックしたりすることによって行われる。
【００３５】
このように、本実施形態によればユーザはプロジェクタ１からＰＣ２に移動する必要がないので印刷時の操作性が向上している。この結果、フローは図３に移行する。
【００３６】
まず、制御部２２は、印刷条件データ入力部２７を介してプロジェクタ１から印刷条件の情報を印刷命令と共に受信する（Ｓ２０１）。
【００３７】
次に、制御部２２は、画像処理部２５を介して、ＲＡＭ２８に格納されている第２の画像データの解像度と画像データ保存部２４の第１の画像データの解像度の比較を行う（Ｓ２０２）。なお、比較される画像は印刷条件に含まれる画像の識別情報に基づいて特定される。
【００３８】
次に、制御部２２は、第２の画像データの解像度が第１の画像データの解像度よりも低い場合には（Ｓ２０３のＹ）、プロジェクタ１から受信した印刷条件と第１の画像データから印刷データを、画像処理部２５を介して作成する（Ｓ２０４）。
【００３９】
一方、制御部２２は、第２の画像データの解像度が第１の画像データの解像度と同じか高い場合には（Ｓ２０３のＮ）、プロジェクタ１から受信した印刷条件と第２の画像データに基づいて印刷データを、画像処理部２５を介して作成する（Ｓ２０５）。
【００４０】
このように、制御部２２は、第２の画像データと第１の画像データのうち解像度の高い画像データと印刷条件から画像処理部１５を介して印刷データを生成する。
【００４１】
次に、制御部２２は、作成された印刷データを印刷データ出力部２６からプリンタ３に送信する（Ｓ２０６）。この結果、プリンタ３は印刷データに従って投射画像の所望の印刷領域を解像度良く印刷する。
【００４２】
本実施形態によれば、プロジェクタ１のユーザは投射画像を印刷する際にＰＣ２に移動して操作する必要がなく、ＰＣ２が解像度の高い画像データを選択するので印刷される画像の解像度を高めることができる。また、プロジェクタ１は印刷条件を送信するが画像データを送信しないので大きな負荷がかからない。また、例えば、特許文献１、２であれば画像データをプリンタの印刷に適したフォーマットに変換する画像処理が必要であるが、本実施形態ではこの画像処理も不要である。
【００４３】
以上、本実施形態について説明したが、本発明は本実施形態に限定されず、その要旨の範囲内で種々の変形及び変更が可能である。
【産業上の利用可能性】
【００４４】
本発明の印刷システムはプロジェクタを使用する環境に適用することができる。
【符号の説明】
【００４５】
１…プロジェクタ（画像表示装置）、２…パーソナルコンピュータ、３…プリンタ（印刷装置）、１３…画像出力部、１５…画像処理部（第２の画像処理部）、２２…制御部、２４…画像データ保存部（第１の記憶部）、２５…画像処理部（第１の画像処理部）、２８…ＲＡＭ（第２の記憶部）
【図３】
0005751961.tif 000002
【図１】
0005751961.tif 000003
【図２】
0005751961.tif 000004